(57)【要約】【課題】ストリップ及び紐を有する造花形成用リボンにより形成された造花の支持に適する支持具を提供すること。【解決手段】両ストリップ（２２）及び紐（２４）を有する造花形成用リボン（２０）で形成された造花（１２）のための支持具（１０）であって、板体（１４）と、板体に設けられその周縁に開放する一端部を有するスリット（１６，１８）であって造花（１２）から伸びる紐（２４）の挿通を許すスリットとを含む。【選択図】図１
0003107361.tif 000002
【実用新案登録請求の範囲】
【請求項１】
互いに重ね合わされた一対のストリップと、両ストリップ間をこれらの長手方向へ伸びる紐とを備え、両ストリップが前記紐に対して該紐の長手方向へ相対移動が可能であるように両ストリップの長手方向に関して互いに間隔をおかれた複数の線の各線上の少なくとも二箇所で互いに結合され、また前記紐が両ストリップの端部で該ストリップに結合された造花形成用リボンの前記紐に対する両ストリップの相対移動により形成された造花のための支持具であって、
板体と、
該板体に設けられその周縁に開放する一端部を有するスリットであって前記造花から伸びる紐の挿通を許すスリットとを含む、支持具。
【請求項２】
さらに、前記板体に設けられ前記スリットの他端部に連なる小孔を含む、請求項１に記載の支持具。
【請求項３】
さらに、前記板体に設けられその周縁に開放する一端部を有する他のスリットを含む、請求項１又は２に記載の支持具。
【請求項４】
さらに、前記板体に設けられ前記他のスリットの他端部に連なる小孔を含む、請求項１〜３のいずれか１項に記載の支持具。
【請求項５】
前記スリットは、該スリットに通された前記紐が挟持されるような幅寸法を有する、請求項１又は３に記載の支持具。
【請求項６】
さらに、前記板体に取り付けられた、前記スリットに通された紐を挟持するための挟持部材を含む、請求項１に記載の支持具。
【請求項７】
さらに、前記板体に取り付けられたゴム輪を含む、請求項１に記載の支持具。
【請求項８】
前記板体は全体に細長い、請求項１に記載の支持具。
【考案の詳細な説明】
【技術分野】
【０００１】
本考案は、造花のための支持具に関する。より詳細には、互いに重ね合わされた一対のストリップと、両ストリップ間をこれらの長手方向へ伸びる紐とを備え、両ストリップが前記紐に対して該紐の長手方向へ相対移動が可能であるように両ストリップの長手方向に関して互いに間隔をおかれた複数の線の各線上の少なくとも二箇所で互いに結合され、また前記紐が両ストリップの端部で該ストリップに結合された造花形成用リボンの前記紐に対する前記ストリップの相対移動により形成された造花のための支持具に関する。
【背景技術】
【０００２】
従来、造花を例えば鉢植えや贈答品のような非装飾物に添えるためのものとして、切目が設けられたスティックと矢尻状の止めピンとを備える支持具が提案されている（特許文献１参照）。
【特許文献１】実開昭６２−３６０８９号公報
【０００３】
これによれば、造花の花弁を模した複数のループの重合部に前記止めピンを前記スティックの切目を通して刺し通すことにより、前記造花と前記支持具とが一体にされる。
【０００４】
前記支持具と一体化された造花は、前記スティックを鉢植えの土に差し、あるいは贈答品とその包装紐との間に差し込むことにより、これらの装飾に役立つ。
【０００５】
ところで、造花を形成するためのリボンがある。このリボンは、互いに重ね合わされた一対のストリップと、両ストリップ間をこれらの長手方向へ伸びる紐とを備え、両ストリップが前記紐に対して該紐の長手方向へ相対移動が可能であるように両ストリップの長手方向に関して互いに間隔をおかれた複数の線の各線上の少なくとも二箇所で互いに結合され、また前記紐が両ストリップの端部で該ストリップに結合されている。この造花形成用リボンによれば、前記紐に対して両ストリップを相対移動させること、両ストリップがこれらの結合個所間において花弁を表すループに変化し、造花が形成される。しかし、この造花は、これから伸び出る前記紐があるため、前記従来の支持具の使用上支障がある。
【考案の開示】
【考案が解決しようとする課題】
【０００６】
本考案は、前記ストリップ及び紐を有する造花形成用リボンにより形成された造花の支持に適する支持具を提供する。
【課題を解決するための手段】
【０００７】
本考案は、互いに重ね合わされた一対のストリップと、両ストリップ間をこれらの長手方向へ伸びる紐とを備え、両ストリップが前記紐に対して該紐の長手方向へ相対移動が可能であるように両ストリップの長手方向に関して互いに間隔をおかれた複数の線の各線上の少なくとも二箇所で互いに結合され、また前記紐が両ストリップの端部で該ストリップに結合された造花形成用リボンの前記紐に対する両ストリップの相対移動により形成された造花のための支持具であって、板体と、該板体に設けられその周縁に開放する一端部を有するスリットであって前記造花から伸びる紐の挿通を許すスリットとを含む。
【０００８】
前記支持具は、さらに、前記板体に設けられ前記スリットの他端部に連なる小孔を含むものとすることができる。また、さらに前記板体に設けられその周縁に開放する一端部を有する他のスリットを含もの、あるいは前記板体に設けられ前記他のスリットの他端部に連なる小孔を含むものとすることができる。
【０００９】
前記スリットは、該スリットに通された前記紐が挟持されるような幅寸法を有するものとすることができる。
【００１０】
支持具は、さらに、前記板体に取り付けられた、前記スリットに通された紐を挟持するための挟持部材を含むものとすることができる。また、支持具は、前記板体に取り付けられたゴム輪を含むものとし、また前記板体が全体に細長いものとすることができる。
【考案の効果】
【００１１】
本考案によれば、一対のストリップとこれらの間に配置された紐とを有する前記造花形成用リボンの前記紐に対して両ストリップを相対移動させることにより形成された造花を、次のようにして支持具に支持することができる。すなわち、前記造花から伸び出る前記紐を前記支持具の板体の表面側からその裏面側に向けて前記スリット（一のスリット）にその開放一端部から挿入してこれに通した後、前記紐に前記スリットを通過することができない大きさの結び目を作る。前記造花は、前記スリットに対する前記紐の結び目の引掛かりのために前記板体に止められ、これにより前記支持具に支持される。
【００１２】
前記スリットに連なる小孔を設けるときは、前記スリットに通された前記紐を前記小孔内に導き入れることにより、前記スリットに沿っての前記紐の移動及び該スリットの一端部からの前記紐の抜け出しを防止することができる。
【００１３】
また、さらに他のスリットを設けるときは、前記一のスリットを経た前記紐を前記他のスリットに通し、前記紐の結び目を作ることにより、前記紐の前記他のスリットからの抜け出しを阻止し、これにより、前記造花を前記板体により強固に止めることができる。
【００１４】
前記他のスリットについても、前記一のスリットにおけると同様、これに連なる小孔を設けることにより、ここに前記紐を導き入れることができる。
【００１５】
前記したいずれにおいても、前記スリットの幅寸法について、前記スリットに通された前記紐が挟持されるような大きさに設定することができ、これによれば、前記紐の結び目を作ることなしに、前記スリットに通された紐を介して前記造花を前記板体に止めることができる。
【００１６】
前記支持具が挟持部材を有するときは、前記板体のスリットに通された後の前記紐を前記挟持部材で挟持し、これにより、前記造花を前記板体に止めることができる。
【００１７】
板体に取り付けられたゴム輪を備える支持具にあっては、前記ゴム輪を介して、前記板体に止められた造花を任意の物品に取り付けることができる。また、前記板体を細長いものとすることにより、前記造花が止められた板体を例えば鉢植えの土に容易に差し込み、あるいは贈答品や花束に差し入れることができる。
【考案を実施するための最良の形態】
【００１８】
図１を参照すると、本考案に係る支持具が全体に符号１０で示されており、支持具１０に造花１２が支持されている。支持具１０に支持された造花１２は、装飾を目的として、支持具１０を介して鉢植え、贈答品、花束等に添えられる。
【００１９】
図示の支持具１０は、板体１４と、該板体に設けられた、造花１２から伸び出る後記紐２４が通される２つのスリット１６，１８とを含む。
【００２０】
支持具１０による支持の対象である造花１２は、図２に一例として示す造花形成用リボン２０により形成される。
【００２１】
造花形成用リボン２０は、互いに重ね合わされた一対のストリップ２２と、両ストリップ間をこれらの長手方向へ伸びる２つの紐２４とを備える。
【００２２】
両ストリップ２２は、紐２４に対して該紐の長手方向へ相対移動が可能であるように、両ストリップ２２の長手方向に関して互いに間隔をおかれた複数の線Ｌの各線上の少なくとも二箇所（結合個所）２６で互いに結合されている。
【００２３】
また、両紐２４はこれらの一端部で、両ストリップ２２にこれらの一端部で、より詳細には該一端部の二個所（結合個所）２８で結合されている。
【００２４】
造花１２は、図３に示すように、造花形成用リボン２０の両ストリップ２２を紐２４に対してその長手方向に相対移動させること、図示の方法では右手で挟み持った紐２４に沿って左手で両ストリップ２２を押し上げることにより、形成することができる。このとき、結合個所２６，２８間及び結合個所２６，２６間において、両ストリップ２２の一部が張り出し、ループをなす。これらのループは造花１２における花弁をなす。
【００２５】
このようにして造花１２が形成されたとき、該造花から、より詳細には両ストリップ２２の他端部（図３で見て下端部）から、紐２４の他端部が伸び出る。支持具１０のスリット１６，１８には、この紐２４の他端部が通される。
【００２６】
造花形成用リボン２０における両ストリップ２２の軸線に対する線Ｌの交差角度、線Ｌの相互間距離、ストリップ２２の長さ又は幅等は任意に定めることができ、これにより、得られる造花の花弁の形状を変化させることができる。また、紐２４の数量は任意に定めることができる。また、ストリップ２２及び紐２４は、天然繊維、合成繊維等の織物又は不織布からなる。
【００２７】
スリット１６，１８が設けられた板体１４は、プラスチック材料、金属材料、紙材料等で形成されている。図示の板体１４は、これを例えば鉢植えの土への突き刺し、贈答品や花束への差し入れに便利なように、全体に細長い平面形状のものとされている。
【００２８】
スリット１６，１８は、それぞれ、板体１４の周縁に開放する一端部１６ａ，１８ａを有する。これらの一端部部１６ａ，１８ａから造花１２の紐２４をスリット１６，１８に差し入れ、該スリットに通すことができる。
【００２９】
一方のスリット１６は細長い板体１４の頂部からその下部に向けて伸びている。また、他方のスリット１８は板体１４の側部から斜め上方に向けて伸びている。スリット１８は図示の例とは反対の斜め下方に伸びるものとすることができる。ただし、スリット１６，１８の配置位置、向き及び長さ寸法は、図示の例に限定されず、任意に定めることができる。
【００３０】
また、スリット１６，１８の幅寸法は任意に定めることができるが、好ましくは、図示の例におけるように、これらのスリットに通されが紐２４が挟持される程度の大きさとする。これによれば、スリット１６，１８に通された紐２４を板体１４に止めておくことができる。
【００３１】
図１に示す例にあっては、造花１２から伸び出る紐２４をスリット１６に通しかつ引いて造花１２を板体１４の表面に押し当てた後、スリット１６を経た紐２４を板体１４の裏面側に回してスリット１８に通すことにより、造花１２を板体１４に止め、支持具１０に支持することができる。スリット１８を経た紐２４の一部は切断して捨て去ることができる。
【００３２】
スリット１６，１８の幅寸法が紐２４の厚さ又は太さより大きいときは、スリット１８に通された紐２４に、該スリット１８を通過又は擦り抜けることができない大きさの結び目（図示せず）を作り、該結び目を板体１４に当てることにより、造花１２を板体１４に止め、支持具１０に支持することができる。紐２４の前記結び目以降の不要部分は切断して捨て去ることができる。
【００３３】
図示の例に代えて、他のスリット１８を設けることを省略することができるが、両スリット１６，１８を設け、紐２４をスリット１６のほかにさらにスリット１８をも通すことにより、造花１２を板体１４に該板体から離れ落ちないようにより強固に取り付けることができる。
【００３４】
また、支持具１０は、板体１４に設けられた、スリット１６，１８の他端部１６ｂ，１８ｂにそれぞれ連なる小孔３０，３２を有するものとすることができる（図１参照）。
【００３５】
これによれば、スリット１６，１８に通された紐２４をそれぞれ小孔３０，３２に導くことにより、スリット１６，１８にそっての紐２４の移動及びスリットの一端部１６ａ，１８ａからの抜け出しを阻止することができる。したがって、小孔３０，３２の大きさはこのような観点に基づいて定められる。
【００３６】
支持具１０は、スリット１６又はスリット１６，１８のほか、さらに前記スリットを経た紐２４を挟持し板体１４に固定するための挟持部材３４を有するものとすることができる（図１及び図４参照）。
【００３７】
図示の挟持部材３４は、紐２４を横切るあり溝３６および該あり溝に受け入れられるあり３８をそれぞれ有する一片４０および他片４２を備える（図４参照）。挟持部材３４は、他片４２において、板体１４の前記裏面に接着により固定される。
【００３８】
両片４０，４２は例えばプラスチック材料からなる。これによれば、両片４０，４２の少なくとも一方の弾性変形を利用して両片のあり溝３６とあり３８とを互いに係合させまた両片４０，４２を互いに引き離すことができる。両片４０，４２はこれらの側部においてプラスチック製の薄い板片４４で互いに連結されている。
【００３９】
支持具１０は、また、ゴム輪４６を備えるものとすることができる（図４）。
【００４０】
図４に示す支持具１０の板体１４は全体に正方形状を呈する。ゴム輪４６は、その一部が、スリット１６にその一端部１６ａから通され、その他端部１６ｂに連なる小孔３０に受け入れられており、これにより、板体１４に取り付けられている。
【００４１】
この例によれば、ゴム輪４６を前記贈答品、花束等の装飾対象に巻き付けることにより、造花１２を支持する支持具１０を前記装飾対象に取り付けることができる。
【図面の簡単な説明】
【００４２】
【図１】本考案に係る支持具とこれに支持された造花とを示すこれらの背面図である。
【図２】造花形成用リボンの斜視図である。
【図３】造花形成過程にある造花形成用リボンの斜視図である。
【図４】挟持部材の斜視図である。
【図５】他の例の支持具である。
【符号の説明】
【００４３】
１０  支持具
１２  造花
１４  板体
１６，１８  スリット
２０  造花形成用リボン
２２，２４  ストリップ及び紐
３０，３２  小孔
３４  挟持部材
４６  ゴム輪
【図１】
0003107361.tif 000003
【図２】
0003107361.tif 000004
【図３】
0003107361.tif 000005
【図４】
0003107361.tif 000006
【図５】
0003107361.tif 000007